(57)【特許請求の範囲】
【請求項１】
軸状をなす第１端子部と、該第１端子部からフランジ状に張り出す第１フランジ部と、を有する第１端子と、
軸状をなす第２端子部と、該第２端子部からフランジ状に張り出す第２フランジ部と、を有する第２端子と、
その後方側から前記第１端子が収容されて前方に抜け止めされる第１収容部と、その後方側から前記第２端子が収容されて前方に抜け止めされる第２収容部と、を有し、前方に開口するハウジングと、
前記ハウジングに対して該ハウジングの後方側から組み付けられるリテーナと、を備え、
前記第１端子は、前記第１端子部の軸方向に沿って前記第１収容部に収容されて前記第１フランジ部が前記第１収容部の内壁に設けられた第１係止部に係止されることで前記ハウジングに対して前後方向に正規の位置で位置決めされ、
前記第２端子は、前記第２端子部の軸方向に沿って前記第２収容部に収容されて前記第２フランジ部が前記第２収容部の内壁に設けられた第２係止部に係止されることで前記ハウジングに対して前後方向に正規の位置で位置決めされる一方、前記第１収容部に収容されて前記第２フランジ部が前記第１係止部に係止されると、前後方向において前記正規の位置よりも後方側で位置決めされ、
前記第１フランジ部は、その外径が後方側に向かって段階的に大きくなる複数の円板状の部位からなることで前記前後方向に段差状をなしており、
前記第１係止部は、前記第１収容部の内壁の一部が前記前後方向に貫通する貫通孔を確保しつつ内側に迫り出し、その迫り出した部位が前記前後方向に段差状をなすことで前記貫通孔の開口径が後方側に向かって段階的に大きくなる形状をなすとともに、前記第１収容部に前記第１端子が収容された状態で前記第１フランジ部と前記前後方向に当接する複数の当接面を有しており、
前記第２フランジ部は、一枚の円板状をなし、その前記前後方向の厚みが前記第１フランジ部の前記複数の円板状の部位のうち最も後方側に位置する円板状の部位の前記前後方向の厚みよりも大きく、前記第１収容部に前記第２端子が収容された状態では前記第１係止部の前記複数の当接面のうち最も後方側に位置する当接面にのみ前記前後方向に当接する、コネクタ。
【請求項２】
軸状をなす第１端子部と、該第１端子部からフランジ状に張り出す第１フランジ部と、を有する第１端子と、
軸状をなす第２端子部と、該第２端子部からフランジ状に張り出す第２フランジ部と、を有する第２端子と、
その後方側から前記第１端子が収容されて前方に抜け止めされる第１収容部と、その後方側から前記第２端子が収容されて前方に抜け止めされる第２収容部と、を有し、前方に開口するハウジングと、
前記ハウジングに対して該ハウジングの後方側から組み付けられるリテーナと、を備え、
前記第１端子は、前記第１端子部の軸方向に沿って前記第１収容部に収容されて前記第１フランジ部が前記第１収容部の内壁に設けられた第１係止部に係止されることで前記ハウジングに対して前後方向に正規の位置で位置決めされ、
前記第２端子は、前記第２端子部の軸方向に沿って前記第２収容部に収容されて前記第２フランジ部が前記第２収容部の内壁に設けられた第２係止部に係止されることで前記ハウジングに対して前後方向に正規の位置で位置決めされる一方、前記第１収容部に収容されて前記第２フランジ部が前記第１係止部に係止されると、前後方向において前記正規の位置よりも後方側で位置決めされ、
前記第１端子は、前記第２収容部に収容されて前記第１フランジ部が前記第２係止部に係止されると、前記前後方向において前記正規の位置よりも後方側で位置決めされる、コネクタ。
【請求項３】
軸状をなす第１端子部と、該第１端子部からフランジ状に張り出す第１フランジ部と、を有する第１端子と、
軸状をなす第２端子部と、該第２端子部からフランジ状に張り出す第２フランジ部と、を有する第２端子と、
その後方側から前記第１端子が収容されて前方に抜け止めされる第１収容部と、その後方側から前記第２端子が収容されて前方に抜け止めされる第２収容部と、を有し、前方に開口するハウジングと、
前記ハウジングに対して該ハウジングの後方側から組み付けられるリテーナと、を備え、
前記第１端子は、前記第１端子部の軸方向に沿って前記第１収容部に収容されて前記第１フランジ部が前記第１収容部の内壁に設けられた第１係止部に係止されることで前記ハウジングに対して前後方向に正規の位置で位置決めされ、
前記第２端子は、前記第２端子部の軸方向に沿って前記第２収容部に収容されて前記第２フランジ部が前記第２収容部の内壁に設けられた第２係止部に係止されることで前記ハウジングに対して前後方向に正規の位置で位置決めされる一方、前記第１収容部に収容されて前記第２フランジ部が前記第１係止部に係止されると、前後方向において前記正規の位置よりも後方側で位置決めされ、
前記第２フランジ部は、一枚の円板状をなしており、
前記第２係止部は、前記第２収容部の内壁の一部が前記前後方向に貫通する貫通孔を確保しつつ内側に迫り出すことで、前記第２収容部に前記第２端子が収容された状態で前記第２フランジ部と前記前後方向に当接する一つの当接面を有しており、
前記第１フランジ部は、その外径が後方側に向かって段階的に大きくなる複数の円板状の部位からなることで前記前後方向に段差状をなすとともに、前記複数の円板状の部位の前記前後方向の厚みが前記第２フランジ部の前記前後方向の厚みよりも大きく、前記第２収容部に前記第１端子が収容された状態では前記第１フランジ部の前記複数の円板状の部位のうち最も前方側に位置する円板状の部位のみが前記第２係止部の前記当接面と当接する、コネクタ。
【請求項４】
軸状をなす第１端子部と、該第１端子部からフランジ状に張り出す第１フランジ部と、を有する第１端子と、
軸状をなす第２端子部と、該第２端子部からフランジ状に張り出す第２フランジ部と、を有する第２端子と、
その後方側から前記第１端子が収容されて前方に抜け止めされる第１収容部と、その後方側から前記第２端子が収容されて前方に抜け止めされる第２収容部と、を有し、前方に開口するハウジングと、
前記ハウジングに対して該ハウジングの後方側から組み付けられるリテーナと、を備え、
前記第１端子は、前記第１端子部の軸方向に沿って前記第１収容部に収容されて前記第１フランジ部が前記第１収容部の内壁に設けられた第１係止部に係止されることで前記ハウジングに対して前後方向に正規の位置で位置決めされ、
前記第２端子は、前記第２端子部の軸方向に沿って前記第２収容部に収容されて前記第２フランジ部が前記第２収容部の内壁に設けられた第２係止部に係止されることで前記ハウジングに対して前後方向に正規の位置で位置決めされる一方、前記第１収容部に収容されて前記第２フランジ部が前記第１係止部に係止されると、前後方向において前記正規の位置よりも後方側で位置決めされ、
前記リテーナは、前記第１端子及び前記第２端子が前記正規の位置に位置決めされた状態で、前記ハウジングの後方側から、その前端部が前記第１端子の後端部及び前記第２端子の後端部の各々と当接する位置まで前進させることで前記ハウジングに対して嵌合可能とされ、
前記第１端子は、前記第１フランジ部の後方側に配される軸状の第１接続部を有し、
前記第２端子は、前記第２フランジ部の後方側に配される軸状の第２接続部を有し、
前記リテーナは、前記ハウジングに嵌合された状態で、前記第１端子の前記第１接続部の軸周り及び前記第２端子の前記第２接続部の軸周りの少なくとも一方を囲む囲み壁部を有し、
前記囲み壁部の内壁に、内側に突出するとともにその突出する先端が前記第１接続部及び前記第２接続部の少なくとも一方に近接する突出部が設けられている、コネクタ。
【発明の詳細な説明】
【技術分野】
【０００１】
本明細書によって開示される技術は、コネクタに関する。
【背景技術】
【０００２】
従来、電気自動車に搭載されたバッテリを充電するために、車両に備えられて給電側コネクタと嵌合接続される車両側コネクタが知られている。この種の車両側コネクタでは、ハウジングに設けられた各端子収容部に、雄型のグランド端子（アース端子とも称される）と雄型のパワー端子（充電用端子とも称される）がそれぞれ収容される、この種の車両側コネクタが、例えば特開２０１０−１２３５２１号公報（下記特許文献１）に開示されている。
【先行技術文献】
【特許文献】
【０００３】
【特許文献１】特開２０１０−１２３５２１号公報
【発明の概要】
【発明が解決しようとする課題】
【０００４】
しかしながら、上記特許文献１に開示されるような車両側コネクタでは、グランド端子とパワー端子が同様の構成とされる。このため、グランド端子とパワー端子を誤った端子収容部に収容した場合であっても、即ち各端子をハウジングに対して誤組み付けした場合であっても、誤組み付けされたことをコネクタの外部から判別することが困難であり、端子の誤組み付けを抑制することが困難であった。
【０００５】
本明細書で開示される技術は、上記の課題に鑑みて創作されたものであって、端子の誤組み付けを抑制することを目的とする。
【課題を解決するための手段】
【０００６】
本明細書で開示される技術は、軸状をなす第１端子部と、該第１端子部からフランジ状に張り出す第１フランジ部と、を有する第１端子と、軸状をなす第２端子部と、該第２端子部からフランジ状に張り出す第２フランジ部と、を有する第２端子と、その後方側から前記第１端子が収容されて前方に抜け止めされる第１収容部と、その後方側から前記第２端子が収容されて前方に抜け止めされる第２収容部と、を有し、前方に開口するハウジングと、前記ハウジングに対して該ハウジングの後方側から組み付けられるリテーナと、を備え、前記第１端子は、前記第１端子部の軸方向に沿って前記第１収容部に収容されて前記第１フランジ部が前記第１収容部の内壁に設けられた第１係止部に係止されることで前記ハウジングに対して前後方向に正規の位置で位置決めされ、前記第２端子は、前記第２端子部の軸方向に沿って前記第２収容部に収容されて前記第２フランジ部が前記第２収容部の内壁に設けられた第２係止部に係止されることで前記ハウジングに対して前後方向に正規の位置で位置決めされる一方、前記第１収容部に収容されて前記第２フランジ部が前記第１係止部に係止されると、前後方向において前記正規の位置よりも後方側で位置決めされるコネクタに関する。
【０００７】
上記のコネクタでは、第１収容部の第１係止部に第１フランジ部が係止されることで、第１端子を第１収容部に正規に収容することができ、第２収容部の第２係止部に第２フランジ部が係止されることで、第２端子を第２収容部に正規に収容することができる。その一方で、第２端子が誤って第１収容部に収容されると、第２端子が正規の位置よりも後方側で位置決めされるので、その後にハウジングに対して当該ハウジングの後方側からリテーナが組み付けられると、リテーナが第２端子の第２フランジ部と干渉し、リテーナが正規の位置よりも後方側に位置ずれする。このため、第２端子が誤って第１収容部に収容されたことをコネクタの外部から判別することができ、端子の誤組み付けを抑制することができる。
【０００８】
上記のコネクタにおいて、前記第１フランジ部は、その外径が後方側に向かって段階的に大きくなる複数の円板状の部位からなることで前記前後方向に段差状をなしており、前記第１係止部は、前記第１収容部の内壁の一部が前記前後方向に貫通する貫通孔を確保しつつ内側に迫り出し、その迫り出した部位が前記前後方向に段差状をなすことで前記貫通孔の開口径が後方側に向かって段階的に大きくなる形状をなすとともに、前記第１収容部に前記第１端子が収容された状態で前記第１フランジ部と前記前後方向に当接する複数の当接面を有しており、前記第２フランジ部は、一枚の円板状をなし、その前記前後方向の厚みが前記第１フランジ部の前記複数の円板状の部位のうち最も後方側に位置する円板状の部位の前記前後方向の厚みよりも大きく、前記第１収容部に前記第２端子が収容された状態では前記第１係止部の前記複数の当接面のうち最も後方側に位置する当接面にのみ前記前後方向に当接してもよい。
【０００９】
この構成では、第２フランジ部の厚みが第１フランジ部の最も後方側に位置する円板状の部位の厚みよりも大きくされている。このため、第２端子が第１係止部に係止されて第２端子の第２フランジ部が第１係止部の最も後方側に位置する当接面にのみ当接すると、第２フランジ部の後端部の位置が正規の位置、即ち第１係止部に第１フランジ部が係止された状態での位置よりも後方側へずれ、第２端子が正規の位置よりも後方側にずれる。このように、第２端子が誤って第１収容部に収容された場合に、第２端子が前後方向において正規の位置よりも後方側で位置決めされるための具体的な構成を提供することができる。
【００１０】
上記のコネクタにおいて、前記第１端子は、前記第２収容部に収容されて前記第１フランジ部が前記第２係止部に係止されると、前記前後方向において前記正規の位置よりも後方側で位置決めされてもよい。
【００１１】
この構成では、第１端子が誤って第２収容部に収容されると、第１端子が正規の位置よりも後方側で位置決めされるので、その後にハウジングに対して当該ハウジングの後方側からリテーナが組み付けられると、リテーナが第１端子の第１フランジ部と干渉し、リテーナが正規の位置よりも後方側に位置ずれする。このため、第１端子が誤って第２収容部に収容されたことをコネクタの外部から判別することができ、端子の誤組み付けを抑制することができる。
【００１２】
上記のコネクタにおいて、前記第２フランジ部は、一枚の円板状をなしており、前記第２係止部は、前記第２収容部の内壁の一部が前記前後方向に貫通する貫通孔を確保しつつ内側に迫り出すことで、前記第２収容部に前記第２端子が収容された状態で前記第２フランジ部と前記前後方向に当接する一つの当接面を有しており、前記第１フランジ部は、その外径が後方側に向かって段階的に大きくなる複数の円板状の部位からなることで前記前後方向に段差状をなすとともに、前記複数の円板状の部位の前記前後方向の厚みが前記第２フランジ部の前記前後方向の厚みよりも大きく、前記第２収容部に前記第１端子が収容された状態では前記第１フランジ部の前記複数の円板状の部位のうち最も前方側に位置する円板状の部位のみが前記第２係止部の前記当接面と当接してもよい。
【００１３】
この構成では、第１フランジ部の全体の厚みが第２フランジ部の厚みよりも大きくされている。このため、第１端子が第２係止部に係止されて当該第１端子の第１フランジ部のうち最も前方側に位置する円板状の部位が第２係止部の当接面に当接すると、第１フランジ部の後端部の位置が正規の位置、即ち第２係止部に第２フランジ部が係止された状態での位置よりも後方側へずれ、第１端子が正規の位置よりも後方側にずれる。このように、第１端子が誤って第２収容部に収容された場合に、第１端子が前後方向において正規の位置よりも後方側で位置決めされるための具体的な構成を提供することができる。
【００１４】
上記のコネクタにおいて、前記リテーナは、前記第１端子及び前記第２端子が前記正規の位置に位置決めされた状態で、前記ハウジングの後方側から、その前端部が前記第１端子の後端部及び前記第２端子の後端部の各々と当接する位置まで前進させることで前記ハウジングに対して嵌合可能とされてもよい。
【００１５】
この構成によると、第１端子及び第２端子の少なくとも一方が誤組み付けされることで、誤組み付けされた端子が正規の位置よりも後方側へずれた場合、正規の位置（第１端子及び第２端子が正規の位置に位置決めされた状態における上記当接する位置）までリテーナを前進させることができない。その結果、リテーナがハウジングに対して嵌合不能となる。このため、第１端子及び第２端子の少なくとも一方が誤って組み付けられたことをコネクタの外部から容易に判別することができる。
【００１６】
上記のコネクタにおいて、前記第１端子は、前記第１フランジ部の後方側に配される軸状の第１接続部を有し、前記第２端子は、前記第２フランジ部の後方側に配される軸状の第２接続部を有し、前記リテーナは、前記ハウジングに嵌合された状態で、前記第１端子の前記第１接続部の軸周り及び前記第２端子の前記第２接続部の軸周りの少なくとも一方を囲む囲み壁部を有し、前記囲み壁部の内壁に、内側に突出するとともにその突出する先端が前記第１接続部及び前記第２接続部の少なくとも一方に近接する突出部が設けられていてもよい。なお、本明細書でいう突出部の突出する先端が「近接する」とは、突出部の突出する先端が第１接続部及び第２接続部に当接することも含む。
【００１７】
この構成によると、第１収容部及び第２収容部に収容された第１端子及び第２端子のうち一方の端子の前端が下方に変位しようとすると、一方の端子の上記接続部が上記突出部と干渉する。このため、第１端子及び第２端子をそれぞれ第１収容部及び第２収容部に収容する際に各端子が傾くことを抑制することができ、第１収容部及び第２収容部に収容される第１端子及び第２端子の組付状態における寸法精度を高めることができる。
【発明の効果】
【００１８】
本明細書で開示される技術によれば、端子の誤組み付けを抑制することができる。
【図面の簡単な説明】
【００１９】
【図１】実施形態に係るコネクタの正面図
【図２】図１におけるII−II断面の断面構成であって、第１収容部に第１端子が収容された状態を示す断面図
【図３】図２における第１端子の近傍を拡大した拡大断面図
【図４】図１におけるIV−IV断面の断面構成であって、第２収容部に第２端子が収容された状態を示す断面図
【図５】図２の断面図と対応する断面の断面構成であって、第１収容部に第２端子が誤組み付けされた状態を示す断面図
【図６】図４の断面図と対応する断面の断面構成であって、第２収容部に第１端子が誤組み付けされた状態を示す断面図
【発明を実施するための形態】
【００２０】
図面を参照して、実施形態を説明する。本実施形態では、電気自動車の車両に搭載された二次電池からなるバッテリを充電するために、車両に備えられて給電側のコネクタと嵌合接続されるコネクタ１を例示する。このコネクタ１は、図１に示すように、その外観を構成する合成樹脂製のハウジング１０を有しており、給電設備側に配される給電側のコネクタと嵌合接続されることで車両のバッテリが充電されるようになっている。
【００２１】
なお、以下では、各図面の上側をコネクタ１の上方として各図面の上下方向をコネクタ１の上下方向とし、各断面図の左側をコネクタ１の前方として各断面図の左右方向をコネクタ１の前後方向とし、図１の左側をコネクタ１の左方として図１の左右方向をコネクタの左右方向として説明する。本実施形態のコネクタ１は、その前後方向が給電側のコネクタ１に対する接続方向と一致する。
【００２２】
ハウジング１０の前方側には、図１に示すように、前方に開口する略円筒状の第１フード部１２Ａと、第１フード部１２Ａの内側に配されて第１フード部１２Ａよりも一回り小さな形で前方に開口する略筒状の第２フード部１２Ｂと、が設けられている。第２フード部１２Ｂ内には、前方に開口する略筒状の７つの端子収容部が、上下３段に分かれて互いに独立した形で設けられている。
【００２３】
第２フード部１２Ｂ内に設けられた７つの端子収容部のうち、中段に設けられた３つの端子収容部は、真ん中の端子収容部が雄型のグランド端子（第１端子の一例）２０が収容された第１収容部１４となっており、その両側に位置する２つの端子収容部が一対の雄型のパワー端子（第２端子の一例）３０がそれぞれ収容された第２収容部１６となっている。なお、７つの端子収容部のうち、上段に設けられた２つの端子収容部１８には、信号用端子４０が収容されている。
【００２４】
第１収容部１４は、図２に示すように、前方に開口する第１収容空間１４Ａを有しており、第１収容空間１４Ａ内には、後述するグランド端子２０の第１端子部２０Ａが露出している。この第１収容部１４には、その後方側から後述するグランド端子２０が収容される。また、第１収容部１４は、その内壁の一部が第１収容空間１４Ａの底部側（後端側）において前後方向に貫通する貫通孔１４Ｂ１を確保しつつ内側に迫り出しており、この迫り出した部位が第１係止部１４Ｂとされる。この第１係止部１４Ｂは、図３に示すように、前後方向に段差状をなすことで上記貫通孔１４Ｂ１の開口径が後方側に向かって段階的に大きくなる形状とされている。
【００２５】
第２収容部１６は、図４に示すように、前方に開口する第２収容空間１６Ａを有しており、第２収容空間１６Ａ内には、後述するパワー端子３０の第２端子部３０Ａが露出している。この第２収容部１６には、その後方側から後述する各パワー端子３０が収容される。また、第２収容部１６は、その内壁の一部が第２収容空間１６Ａの底部側（後端側）において前後方向に貫通する貫通孔１６Ｂ１を確保しつつ内側に迫り出しており、この迫り出した部位が第２係止部１６Ｂとされる。
【００２６】
グランド端子２０は、金属製とされ、図２に示すように、軸状に伸びており、その軸方向に沿って第１収容部１４に収容される。グランド端子２０は、その前方側が軸状をなすとともに給電側のコネクタと接続される第１端子部２０Ａとなっており、その後方側が電線に接続される第１接続部２０Ｂとなっている。また、第１端子部２０Ａの後端部には、第１端子部２０Ａからフランジ状に張り出す第１フランジ部２０Ｃが設けられている。グランド端子２０は、その第１フランジ部２０Ｃが第１収容部１４の第１係止部１４Ｂに後方側から係止されることで、前方に抜け止めされた状態で、第１収容部１４に収容されて組み付けられている。第１フランジ部２０Ｃの構成及び係止態様については後で詳しく説明する。
【００２７】
各パワー端子３０は、金属製とされ、図４に示すように、軸状に伸びており、その軸方向に沿って各第２収容部１６に収容される。各パワー端子３０は、その前方側が軸状をなすとともに給電側のコネクタと接続される第２端子部３０Ａとなっており、その後方側が電線に接続される第２接続部３０Ｂとなっている。また、第２端子部３０Ａの後端部には、第２端子部３０Ａからフランジ状に張り出す第２フランジ部３０Ｃが設けられている。パワー端子３０は、その第２フランジ部３０Ｃが第２収容部１６の第２係止部１６Ｂに後方側から係止されることで、前方に抜け止めされた状態で、第２収容部１６に収容されて組み付けられている。第２フランジ部３０Ｃの構成及び係止態様については後で詳しく説明する。
【００２８】
また、パワー端子３０において第２端子部３０Ａの先端部には、絶縁性を有する合成樹脂製の安全キャップ３０Ｄが取り付けられており、この安全キャップ３０Ｄによりユーザ（使用者）が誤って金属製のパワー端子３０に直接触れる事態が回避されるようになっている。なお、グランド端子２０とパワー端子３０は、第１フランジ部２０Ｃと第２フランジ部３０Ｃの形状が異なる点を除けば、ほぼ同様の構成となっており、その前後方向寸法や端子部の径寸法等が互いに等しい。
【００２９】
また、本実施形態のコネクタ１では、図２等に示すように、ハウジング１０の後方側に、当該ハウジング１０の後方側を覆うリテーナ５０が組み付けられている。リテーナ５０は、ハウジング１０に対して当該ハウジング１０の後方側から組み付けられており、基板部５０Ａと、当該基板部５０Ａから前方に突出して設けられ、前後に開口する略筒状をなすことで、第１収容部１４に収容されたグランド端子２０の第１接続部２０Ｂ及び第２収容部１６に収容された各パワー端子３０の第２接続部３０Ｂの軸周りをそれぞれ囲む囲み壁部５０Ｂと、を有している。
【００３０】
リテーナ５０の囲み壁部５０Ｂは、図２等に示すように、その先端部が、第１収容部１４に収容されたグランド端子２０の第１フランジ部２０Ｃの後端部及び第２収容部１６に収容された各パワー端子３０の第２フランジ部３０Ｃの後端部にそれぞれ当接しており、これにより、グランド端子２０及び各パワー端子３０が後方へ抜け止めされている。また、この囲み壁部５０Ｂの内壁には、内側に突出するとともにその突出する先端がグランド端子２０の第１接続部２０Ｂ及び各パワー端子３０の第２接続部３０Ｂにそれぞれ近接する突出部５０Ｂ１が設けられている（図３等参照）。なお、ここでいう「近接する」とは、突出部５０Ｂ１の突出する先端が第１接続部２０Ｂ及び第２接続部３０Ｂに当接することも含む。
【００３１】
また、リテーナ５０の下部には、図４等に示すように、前方側に伸びる弾性変形可能な弾性変形部５０Ｃが設けられており、この弾性変形部５０Ｃの前端部にはロック部５０Ｄが設けられている。一方、ハウジング１０の下端部には、後方から前方に向かって下方に傾斜する傾斜面を有するとともに上記ロック部５０Ｄに係止されるロック受け部１０Ａが設けられている。リテーナ５０は、ハウジング１０の後方側から前進させながらハウジング１０に組み付けられることで、その弾性変形部５０Ｃが弾性変形しつつロック受け部１０Ａに乗り上げ、弾性変形部５０Ｃがロック受け部１０Ａを乗り越えて弾性復帰することで、ロック部５０Ｄがロック受け部１０Ａに対して前方から係止される。その結果、リテーナ５０がハウジング１０に対して嵌合される。
【００３２】
続いて、第１フランジ部２０Ｃの構成及び係止態様、第２フランジ部３０Ｃの構成及び係止態様について説明する。第１フランジ部２０Ｃは、図２及び図３に示すように、その外径が後方側に向かって段階的に大きくなる複数の円板状の部位からなることで前後方向に段差状をなしている。一方、第１収容部１４の第１係止部１４Ｂは、上述したように前後方向に段差状をなすことで、第１収容部１４にグランド端子２０が収容された状態で第１フランジ部２０Ｃと前後方向に当接する複数の当接面１４Ｂ２を有している（図３参照）。
【００３３】
第１係止部１４Ｂは、図３に示すように、第１フランジ部２０Ｃの段差形状に沿った段差形状をなしている。このため、第１収容部１４にグランド端子２０が収容された状態では、図２及び図３に示すように、第１フランジ部２０Ｃを構成する複数の円板状の部位がそれぞれ第１係止部１４Ｂの各当接面１４Ｂ２と前後方向に当接する。なお、図３に示す符号２０Ｃ１は、第１係止部１４Ｂの各当接面１４Ｂ２と当接する第１フランジ部２０Ｃの各当接面を示している。以下では、第１収容部１４にグランド端子２０が収容された状態における第１フランジ部２０Ｃの後端部の位置を、第１収容部１４に収容されるグランド端子２０の正規の位置ＴＰ１（図２参照）と称する。
【００３４】
第２フランジ部３０Ｃは、図４に示すように、一枚の円板状をなし、その前後方向の厚みＷ２が第１フランジ部２０Ｃの複数の円板状の部位のうち最も後方側に位置する円板状の部位の前後方向の厚みＷ１（図３参照）よりも大きい。一方、第２収容部１６の第２係止部１６Ｂは、第２収容部１６にパワー端子３０が収容された状態で第２フランジ部３０Ｃの前面と前後方向に当接する一つの当接面１６Ｂ２を有している（図４参照）。以下では、第２収容部１６にパワー端子３０が収容された状態における第２フランジ部３０Ｃの後端部の位置を、第２収容部１６に収容されるパワー端子３０の正規の位置ＴＰ２（図４参照）と称する。
【００３５】
さて、本実施形態のコネクタ１では、第１収容部１４にグランド端子２０が収容されてハウジング１０に組み付けられると、グランド端子２０がその正規の位置ＴＰ１で位置決めされ、各第２収容部１６にパワー端子３０がそれぞれ収容されてハウジング１０に組み付けられると、各パワー端子３０がその正規の位置ＴＰ２で位置決めされる。その後、ハウジング１０の後方側からリテーナ５０を前進させて囲み壁部５０Ｂの前端部を第１フランジ部２０Ｃの後端部及び第２フランジ部３０Ｃの後端部と当接させることで、リテーナ５０がハウジング１０に対して嵌合される。
【００３６】
ここで、パワー端子３０がハウジング１０に対して誤って組み付けられたとする。即ち、図５に示すように第１収容部１４の後方側からパワー端子３０が収容され、かつ、図６に示すように第２収容部１６の後方側からグランド端子２０が収容されたとする。すると、図５に示すように、パワー端子３０の第２フランジ部３０Ｃが第１係止部１４Ｂの最も後方側に位置する当接面１４Ｂ２にのみ当接する。そして、この状態では、第２フランジ部３０Ｃの厚みＷ２が第１フランジ部２０Ｃの最も後方側に位置する円板状の部位の厚みＷ１よりも大きくされていることから、第２フランジ部３０Ｃの後端部の位置が、第１収容部１４に収容される端子の正規の位置ＴＰ１、即ち第１係止部１４Ｂにグランド端子２０の第１フランジ部２０Ｃが係止された状態での位置よりも後方側にずれる。なお、図５では、上記正規の位置ＴＰ１よりも後方側へずれた非正規の位置を符号ＦＰ１で示している。
【００３７】
このように、グランド端子２０とパワー端子３０が共に正規の位置よりも後方側にずれた状態でハウジング１０の後方側からリテーナ５０を前進させてハウジング１０に組み付けると、図６に示すように、リテーナ５０の弾性変形部５０Ｃがハウジング１０のロック受け部１０Ａに乗り上げた状態で、リテーナ５０の各囲み壁部５０Ｂの前端部がグランド端子２０の第１フランジ部２０Ｃの後端部と各パワー端子３０の第２フランジ部３０Ｃの後端部とに当接する。このため、リテーナ５０をそれ以上前進させることができず、リテーナ５０のロック部５０Ｄをハウジング１０のロック受け部１０Ａに係止させることができないことにより、リテーナ５０がハウジング１０に対して正規の位置で嵌合不能となる。
【００３８】
また、図６に示すように、グランド端子２０の第１フランジ部２０Ｃを構成する複数の円板状の部位のうち最も前方側に位置する円板状の部位の当接面２０Ｃ１が第２係止部１６Ｂの当接面１６Ｂ２に当接する。そして、この状態では、第１フランジ部２０Ｃを構成する複数の円板状の部位の全体の厚みＷ３が第２フランジ部３０Ｃの厚みＷ２よりも大きくされていることから、第１フランジ部２０Ｃの後端部の位置が、第２収容部１６に収容されるパワー端子３０の正規の位置ＴＰ２、即ち第２係止部１６Ｂにパワー端子３０の第２フランジ部３０Ｃが係止された状態での位置よりも後方側にずれる。なお、図６では、上記正規の位置ＴＰ２よりも後方側へずれた非正規の位置を符号ＦＰ２で示している。
【００３９】
このように、グランド端子２０が正規の位置ＴＰ１よりも後方側にずれた状態でハウジング１０の後方側からリテーナ５０を前進させてハウジング１０に組み付けると、図６に示すように、リテーナ５０の弾性変形部５０Ｃがハウジング１０のロック受け部１０Ａに乗り上げた状態で、リテーナ５０の囲み壁部５０Ｂの前端部がグランド端子２０の第１フランジ部２０Ｃの後端部と当接する。このため、リテーナ５０をそれ以上前進させることができず、リテーナ５０のロック部５０Ｄをハウジング１０のロック受け部１０Ａに係止させることができないことにより、リテーナ５０がハウジング１０に対して正規の位置で嵌合不能となる。
【００４０】
以上説明したように本実施形態に係るコネクタ１では、第１収容部１４の第１係止部１４Ｂに第１フランジ部２０Ｃが係止されることで、グランド端子２０を第１収容部１４に収容することができ、第２収容部１６の第２係止部１６Ｂに第２フランジ部３０Ｃが係止されることで、パワー端子３０を第２収容部１６に収容することができる。ここで、グランド端子２０とパワー端子３０は、そのフランジ部２０Ｃ，３０Ｃを除くとほぼ同様の構成であるので、両端子２０，３０が誤って組み付けられた場合であっても、誤組み付けされたことをコネクタ１の外部から判別することは難しい。
【００４１】
この点、本実施形態に係るコネクタ１では、パワー端子３０が誤って第１収容部１４に収容されると、パワー端子３０が当該第１収容部１４に収容されるグランド端子２０の正規の位置ＴＰ１よりも後方側にずれた非正規の位置ＦＰ１で位置決めされるので、その後にハウジング１０に対して当該ハウジング１０の後方側からリテーナ５０を組み付けても、ハウジング１０に対してリテーナ５０を嵌合させることができない。このため、パワー端子３０が誤って第１収容部１４に収容されたことをコネクタ１の外部から容易に判別することができ、端子の誤組み付けを抑制することができる。
【００４２】
さらに本実施形態に係るコネクタ１では、グランド端子２０が誤って第２収容部１６に収容されると、グランド端子２０が当該第２収容部１６に収容されるパワー端子３０の正規の位置ＴＰ２よりも後方側にずれた非正規の位置ＦＰ２で位置決めされるので、その後にハウジング１０に対して当該ハウジング１０の後方側からリテーナ５０を組み付けても、ハウジング１０に対してリテーナ５０を嵌合させることができない。このため、グランド端子２０が誤って第２収容部１６に収容されたことをコネクタ１の外部から容易に判別することができ、端子の誤組み付けを抑制することができる。
【００４３】
また、本実施形態に係るコネクタ１では、リテーナ５０の囲み壁部５０Ｂに、第１収容部１４に収容されたグランド端子２０の第１接続部２０Ｂ及び各第２収容部１６にそれぞれ収容されたパワー端子３０の第２接続部３０Ｂにそれぞれ近接する突出部５０Ｂ１が設けられている。このような構成とされていることで、第１収容部１４及び第２収容部１６に収容されたグランド端子２０及びパワー端子３０のうち一方の端子の前端が下方に変位しようとすると、一方の端子の接続部が突出部５０Ｂ１と干渉する。このため、グランド端子２０及びパワー端子３０をそれぞれ第１収容部１４及び第２収容部１６に収容する際に各端子２０，３０が傾くことを抑制することができ、各収容部１４，１６に収容される各端子２０，３０の組付状態における寸法精度を高めることができる。
【００４４】
＜他の実施形態＞
本明細書によって開示される技術は上記実施形態に限定されるものではなく、例えば次のような実施形態も技術的範囲に含まれる。
（１）上記の実施形態では、第１端子の一例としてグランド端子２０を例示し、第２端子の一例としてパワー端子３０を例示したが、パワー端子を第１端子の一例とし、グランド端子を第２端子の一例としてもよい。また、第１端子及び第２端子は、グランド端子及びパワー端子以外の端子であってもよい。
【００４５】
（２）上記の実施形態以外にも、第１フランジ部の形状、第２フランジ部の形状については、適宜に変更可能である。
【００４６】
（３）上記の実施形態では、コネクタの一例として、車両に備えられて給電側のコネクタと嵌合接続されるコネクタを例示したが、本明細書で開示されるコネクタは、他の用途に用いられるコネクタであってもよい。
【００４７】
以上、実施形態について詳細に説明したが、これらは例示に過ぎず、特許請求の範囲を限定するものではない。特許請求の範囲に記載の技術には、以上に例示した具体例を様々に変形、変更したものが含まれる。
【符号の説明】
【００４８】
１…コネクタ
１０…ハウジング
１４…第１収容部
１４Ｂ…第１係止部
１６…第２収容部
１６Ｂ…第２係止部
２０…グランド端子（第１端子）
２０Ａ…第１端子部
２０Ｂ…第１接続部
２０Ｃ…第１フランジ部
３０…パワー端子（第２端子）
３０Ａ…第２端子部
３０Ｂ…第２接続部
３０Ｃ…第２フランジ部
５０…リテーナ
ＴＰ１…（第１収容部に収容される端子の）正規の位置
ＴＰ２…（第２収容部に収容される端子の）正規の位置
ＦＰ１…（第１収容部に収容される端子の）非正規の位置
ＦＰ２…（第２収容部に収容される端子の）非正規の位置
【図１】
0006607133.tif 000002
【図２】
0006607133.tif 000003
【図３】
0006607133.tif 000004
【図４】
0006607133.tif 000005
【図５】
0006607133.tif 000006
【図６】
0006607133.tif 000007